(57)【要約】【課題】インストルメントパネルに配索されるワイヤハーネスであって、簡単な構造であって自身に形状保持性が備わってことにより、配索ルートの選定の自由度を向上させることができると共に、固定箇所を少なくして車両への取付作業性の向上を図ることのできるワイヤハーネスを提供する。【解決手段】ワイヤハーネスＷＨは、複数の電線Ｗの束の外側を覆うように発泡体１がモールド成形されており、発泡体１が、電線Ｗの束の配索形状に倣う形状に形成されている。この場合の発泡体１は、ビーズ法により発泡成形されたものである。【選択図】図１
2012126356.tif 000002
【特許請求の範囲】
【請求項１】
インストルメントパネルに配索されるワイヤハーネスであって、
複数の電線の束の外側を覆うように発泡体がモールド成形されており、前記発泡体が、前記電線の束の配索形状に倣う形状に形成されていることを特徴とするワイヤハーネス。
【請求項２】
前記発泡体が、ビーズ法により発泡成形されたものであることを特徴とする請求項１に記載のワイヤハーネス。
【請求項３】
前記発泡体の外面に一体に発泡成形された凸部が設けられ、前記凸部の突出方向に誘導されて、前記電線の束からの分岐線が外部に引き出されていることを特徴とする請求項１又は２に記載のワイヤハーネス。
【発明の詳細な説明】
【技術分野】
【０００１】
本発明は、複数の電線の束の外側を発泡体でモールドしたワイヤハーネスに関するものである。
【背景技術】
【０００２】
従来のワイヤハーネスは、一般的に、複数の電線を束ねてテープ巻きしただけの構造のものであった。あるいは、電線束の外側に樹脂シートやチューブ等の外装材を装着し、必要に応じて更にテープ巻きを加えただけの構造のものであった。
【０００３】
従って、ワイヤハーネス自体に自身の形状を保つための強度がないことから、例えば、自動車のインストルメントパネルの裏側に配索する場合は、インストルメントパネル内にあるリンフォースに支持をとって、ワイヤハーネスを配索しているのが現状である（例えば、特許文献１参照）。
【先行技術文献】
【特許文献】
【０００４】
【特許文献１】特開２０００−１６６０６１号公報
【発明の概要】
【発明が解決しようとする課題】
【０００５】
ところが、上述のようにリンフォースに支持をとってワイヤハーネスを配索する場合、ワイヤハーネスの配索ルートがリンフォースの周辺に限定されてしまうため、配索ルートを自由に選定することができないという問題があった。
【０００６】
また、リンフォースの周辺は各種機器が多く設置される場所でもあるため、配索スペースの確保に苦労するという問題もあった。
【０００７】
更に、従来のワイヤハーネスは、弛んだり曲がったりしやすく、形状が定まっていないから、車両への組付時には、多数点をクランプで固定する必要があり、車両への取付作業が大変であった。
【０００８】
本発明は、上述した事情に鑑みてなされたものであり、その目的は、簡単な構造であって自身に形状保持性が備わっていることにより、配索ルートの選定の自由度を向上させることができると共に、固定箇所を少なくして車両への取付作業性の向上を図ることのできるインストルメントパネル用のワイヤハーネスを提供することにある。
【課題を解決するための手段】
【０００９】
本発明の上記目的は、下記の構成により達成される。
（１）  インストルメントパネルに配索されるワイヤハーネスであって、
複数の電線の束の外側を覆うように発泡体がモールド成形されており、前記発泡体が、前記電線の束の配索形状に倣う形状に形成されることを特徴とするワイヤハーネス。
【００１０】
（２）  前記発泡体が、ビーズ法により発泡成形されたものであることを特徴とする上記（１）に記載のワイヤハーネス。
【００１１】
（３）  前記発泡体の外面に一体に発泡成形された凸部が設けられ、前記凸部の突出方向に誘導されて、前記電線の束からの分岐線が外部に引き出されていることを特徴とする上記（１）又は（２）に記載のワイヤハーネス。
【００１２】
上記（１）の構成のワイヤハーネスによれば、電線束の外側を覆う発泡体が、従来のワイヤハーネスよりも大きな一定の剛性を持っているので、リンフォースに多数の支持をとりながら配索する必要がなくなり、配索経路の選定の自由度が向上する。
【００１３】
また、配索スペースさえあれば、どこでも配索できるようになるので、リンフォースに沿って配索スペースを確保する苦労もなくなる。
また、ワイヤハーネスの固定箇所も削減できるので、車両への組付作業性も向上する。
【００１４】
また、電線束の外側を緩衝性を持つ発泡体で覆うので、周辺部品との干渉や電線間の干渉による摩耗・異音の発生も無くせる。
【００１５】
また、従来では電線を保護するためにコルゲートチューブやビニールシートあるいはテープ等の多種多様な外装材を手作業で電線束に取り付けていたが、本発明では、発泡体の一括モールド成形を施すだけで、電線を保護できるようになるため、外装材の取付作業性の向上が図れる。
【００１６】
また、例えば、硬質の樹脂モールド材で電線束を覆うようにした場合は、樹脂材と電線との間の固着力が大きくなるため、成形後の養生時に電線と樹脂材との膨張率差に起因して、樹脂材や電線に余計な応力が加わり、最悪の場合、樹脂材が破損したり電線が断線したりするおそれがあるが、発泡体を電線束の外側にモールド成形した場合は、電線と発泡体との間に滑りを発生させて固着力を低く抑えることができるため、養生時に材料間に発生する膨張差を吸収することができ、熱膨張差による成形体の破損や電線の断線等の不具合の発生を防ぐことができる。
【００１７】
また、従来では、ワイヤハーネスの中でジョイント回路を構成する場合、ジョイントコネクタを使用して集中ジョイントをすることが多いが、本発明では、ボンダージョイント（キャップレス）をモールド内へ取り込むことができるようになるため、コストダウンが可能となる。
【００１８】
上記（２）の構成のワイヤハーネスによれば、発泡体がビーズ法（一次発泡した米粒程度の大きさのビーズを金型内に敷き詰め、それを加熱し、二次発泡させる発泡方法）で発泡成形されているので、電線束の外表面の複雑で微細な凹凸に発泡体が入りにくくなり、固着量を更に低く抑えることができる。
【００１９】
上記（３）の構成のワイヤハーネスによれば、発泡体の外面に一体に成形された凸部によって、電線束から外に出て行く分岐線の方向付けがなされるので、分岐線の誤組付の防止を図ることができると共に、ワイヤハーネスの組付性の向上が図れる。
【発明の効果】
【００２０】
本発明によれば、電線束の外側を発泡体で覆うという簡単な構造の採用により、電線束の配索形状に沿った形状保持性を発揮することができる。従って、配索ルートの選定の自由度を向上させることができると共に、固定箇所を少なくして車両への取付作業性の向上を図ることができる。
【図面の簡単な説明】
【００２１】
【図１】本発明の実施形態のワイヤハーネスの構成図で、図１（ａ）は平面図、図１（ｂ）は図１（ａ）のＩｂ−Ｉｂ矢視断面図である。
【図２】実施形態のワイヤハーネスの製造工程の説明図である。
【図３】図２の次の工程の説明図である。
【図４】図３の次の工程の説明図である。
【図５】図４の次の工程の説明図である。
【図６】図５の次の工程の説明図である。
【図７】図６の次の工程の説明図である。
【図８】図７の次の工程の説明図である。
【図９】図８の次の工程の説明図である。
【図１０】図９の次の工程の説明図である。
【図１１】図１０の次の工程の説明図である。
【図１２】本発明の別の実施形態の要部構成を示す斜視図である。
【発明を実施するための形態】
【００２２】
以下、本発明の実施形態を図面を参照して説明する。
図１は実施形態のワイヤハーネスの構成図で、図１（ａ）は平面図、図１（ｂ）は図１（ａ）のＩｂ−Ｉｂ矢視断面図、図２〜図１１は同ワイヤハーネスの製造工程の説明図である。
【００２３】
このワイヤハーネスＷＨは、インストルメントパネルに配索されるものであって、複数の被覆電線Ｗの束の外側を覆うように発泡体１がモールド成形され、しかも発泡体１が、電線Ｗの束の配索形状に倣う形状に形成されたものである。この場合の発泡体１は、ビーズ法により発泡成形されたものであり、例えば、ビーズ法ポリスチレンフォームよりなる。ビーズ法ポリスチレンフォームは、ポリスチレン樹脂と炭化水素系の発泡剤からなる原料ビーズを予備発泡させた後に、金型に充填し加熱することによって作られている。
【００２４】
次に、このワイヤハーネスＷＨの製造方法について説明する。
まず、図２、図３に示すように、下金型１１が一体化された配索治具板１０を用意する。配索治具板１０の上には、下金型１１と共に配索治具１２が適当に配置されている。この配索治具板１０の上に、端末にコネクタＣなどが取り付けられたサブワイヤハーネスＷ１を配索する。そして、サブワイヤハーネスＷ１のうち、発泡体で覆う予定の箇所を、下金型１１の内部に収容する。
【００２５】
同様にして、図３、図４に示すように、次々にサブワイヤハーネスＷ２、Ｗ３を配索する。ここで、サブワイヤハーネスＷ３には、後嵌め端子１５が付いているので、必要に応じて先に配索したサブワイヤハーネスＷ１、Ｗ２のコネクタＣのハウジングの中に挿入する。
【００２６】
サブワイヤハーネスＷ１〜Ｗ３を配索したら、次に図５、図６に示すように、下金型１１の適当箇所にクランプ１４をセットする。そして図７に示すように、上金型１３を下金型１１の上に被せて型締めする。
【００２７】
型締めしたら、図８に示すように、成形材料２０を、下金型１１と上金型１３で形成されるキャビティに充填する。ここでは、一次発泡させた原料ビーズを充填する。充填したら、図９に示すように、スチーム２１をキャビティに導入し加熱する。加熱して発泡させたら、図１０に示すように養生して冷却する。冷却が完了したら、図１１に示すように、上金型１３を取り外し、下金型１１から、成形された発泡体１を脱型させる。これにより、電線束の必要箇所が発泡体１で覆われたワイヤハーネスＷＨが得られる。
【００２８】
このように構成したワイヤハーネスＷＨによれば、電線Ｗの束の外側を覆う発泡体１が、従来のワイヤハーネスよりも大きな一定の剛性を持っているので、リンフォースに多数の支持をとりながら配索する必要がなくなり、配索経路の選定の自由度が向上する。
【００２９】
また、配索スペースさえあれば、どこでも配索できるようになるので、リンフォースに沿って配索スペースを確保する苦労もなくなる。
【００３０】
また、ワイヤハーネスＷＨの固定箇所も削減できるので、車両への組付作業性も向上する。
【００３１】
また、電線Ｗの束の外側を緩衝性を持つ発泡体１で覆うので、周辺部品との干渉や電線間の干渉による摩耗・異音の発生も無くせる。
【００３２】
また、従来では電線を保護するためにコルゲートチューブやビニールシートあるいはテープ等の多種多様な外装材を手作業で電線束に取り付けていたが、本実施形態のワイヤハーネスＷＨでは、発泡体１の一括モールド成形を施すだけで、電線Ｗを保護できるようになるため、外装材の取付作業性の向上が図れる。
【００３３】
また、例えば、硬質の樹脂モールド材で電線束を覆うようにした場合は、樹脂材と電線との間の固着力が大きくなるため、成形後の養生時に電線と樹脂材との膨張率差に起因して、樹脂材や電線に余計な応力が加わり、最悪の場合、樹脂材が破損したり電線が断線したりするおそれがあるが、発泡体１を電線Ｗの束の外側にモールド成形しているので、電線Ｗと発泡体１との間に滑りを発生させて固着力を低く抑えることができる。
【００３４】
そのため、養生時に材料間に発生する膨張差を吸収することができ、熱膨張差による成形体（発泡体１）の破損や電線Ｗの断線等の不具合の発生を防ぐことができる。
【００３５】
また、従来では、ワイヤハーネスの中でジョイント回路を構成する場合、ジョイントコネクタを使用して集中ジョイントをすることが多いが、本実施形態では、ボンダージョイント（キャップレス）をモールド内に取り込むことができるようになるため、コストダウンが可能となる。
【００３６】
また、発泡体１をビーズ法で発泡成形しているので、電線Ｗの束の外表面の複雑で微細な凹凸に発泡体１が入りにくくなり、固着量を更に低く抑えることができる。従って、養生時の発泡体１と電線Ｗの熱膨張差をより確実に吸収することができ、品質を保証することができる。
【００３７】
また、図１２は本発明の他の実施形態のワイヤハーネスの斜視図である。
図１２に示すワイヤハーネスのように、発泡体１の外面に一体に発泡成形された数センチ程度の突出量の凸部１ａを設け、その凸部１ａの突出方向に分岐線ＷＢ誘導することで、幹線ＷＡ（電線Ｗの束）から分岐した分岐線ＷＢを外部に引き出すようにした場合は、発泡体１から出て行く分岐線ＷＢの方向付けを行うことができるので、分岐線ＷＢの誤組付の防止を図ることができると共に、ワイヤハーネスＷＨの組付性の向上が図れる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３９】
ＷＨ  ワイヤハーネス
Ｗ  電線
ＷＡ  幹線（電線の束）
ＷＢ  分岐線
１  発泡体
１ａ  凸部
【図１】
2012126356.tif 000003
【図２】
2012126356.tif 000004
【図３】
2012126356.tif 000005
【図４】
2012126356.tif 000006
【図５】
2012126356.tif 000007
【図６】
2012126356.tif 000008
【図７】
2012126356.tif 000009
【図８】
2012126356.tif 000010
【図９】
2012126356.tif 000011
【図１０】
2012126356.tif 000012
【図１１】
2012126356.tif 000013
【図１２】
2012126356.tif 000014